【手続補正書】
【提出日】平成30年7月2日(2018.7.2)
【手続補正１】
【補正対象書類名】特許請求の範囲
【補正対象項目名】全文
【補正方法】変更
【補正の内容】
【特許請求の範囲】
【請求項１】
商品のパッケージを配達目的地に配達するドローンにセキュリティを提供するための方法であって、
前記ドローンによって、前記ドローンが前記配達目的地の近くに到着したことの通知を購入者のデバイスに提供することと、
前記ドローンによって、前記配達目的地で着陸ゾーンからのセキュア高度でホバリングすることと、
前記ドローンによって、前記商品のパッケージの購入に関連する購入コードを受信することと、
前記ドローンによって、前記ドローンを着陸させるための条件として前記購入コードを認証することと、
前記購入コードが認証される時に、前記ドローンによって、前記配達目的地の前記着陸ゾーン内に着陸すること、または、前記購入コードが認証されない時に、前記ドローンによって、前記配達目的地の前記着陸ゾーン内での前記着陸を中止することと、
を備え、
サーバと前記ドローンとのうちの１つまたは複数によって、インターネットを介して１つまたは複数のソーシャルメディアアプリケーションに接続することと、
前記サーバと前記ドローンとのうちの１つまたは複数によって、前記ドローンに関連する情報が前記１つまたは複数のソーシャルメディアアプリケーション上にポストされたことの表示に関して前記１つまたは複数のソーシャルメディアアプリケーションを監視することと、
前記サーバと前記ドローンとのうちの１つまたは複数によって、ドローン情報を含む前記ソーシャルメディア情報が潜在的なセキュリティ脅威を表すかどうかを決定することと、
前記サーバと前記ドローンとのうちの前記１つまたは複数によって、前記決定に応答して前記ドローンに関するセキュアナビゲーションモードを実行することと、
ここにおいて、前記ドローンに関する前記セキュアナビゲーションモードは、コース方向、高度、およびホールディングパターンのうちの１つまたは複数を備える、前記ドローンの飛行パラメータを変更することを備える、
によって特徴付けられる、
方法。
【請求項２】
前記購入コードが認証され、前記着陸ゾーン内での前記ドローンによる前記着陸が完了する時に、前記ドローンによって、前記商品のパッケージを解放することと、
前記商品のパッケージが解放される時に、前記ドローンによって、前記商品のパッケージの配達を確認することと
をさらに備える、請求項１に記載の方法。
【請求項３】
前記ドローンによって、前記商品のパッケージの前記配達を確認することは、
前記購入者のデバイスによって前記商品のパッケージに関連する配達コードをスキャンし、前記購入者の前記デバイスによって前記配達コードをサーバに提供することと、
商品の前記解放されたパッケージと、前記購入者と、前記着陸ゾーンとのうちの１つまたは複数の画像を取り込むことと
のうちの少なくとも１つを備える、請求項２に記載の方法。
【請求項４】
前記購入コードは、１回限りのコードであり、前記方法は、
サーバによって、前記商品のパッケージの購入者のデバイスと、前記商品のパッケージの前記購入に関する購入取引を行うことと、
前記サーバによって、前記商品のパッケージの前記購入者の前記デバイスに前記１回限りの購入コードを提供することと
をさらに備える、請求項１に記載の方法。
【請求項５】
前記着陸ゾーン内の着陸パッドによって前記着陸ゾーン内の前記ドローンによる前記着陸を案内すること、前記着陸パッドは、視覚着陸支援装置と、光学着陸支援装置と、無線着陸支援装置とのうちの１つまたは複数を含む、をさらに備える、請求項１に記載の方法。
【請求項６】
前記購入者のデバイスの現在位置に基づいて前記着陸ゾーンの位置を決定することをさらに備える、請求項１に記載の方法。
【請求項７】
前記ドローンによって、ＧＮＳＳナビゲーションを使用して前記配達目的地にナビゲートすることをさらに備える、請求項１に記載の方法。
【請求項８】
前記配達目的地への移動ルートに沿った１つまたは複数の通信ノードから無線信号を受信することと、前記無線信号は、前記１つまたは複数の通信ノードに関する情報を含む、
前記受信された無線信号内の前記通信ノードに関する前記情報に基づいて前記１つまたは複数の通信ノードの位置を決定することと、
前記１つまたは複数の通信ノードの前記位置に少なくとも部分的に基づいて前記ドローンのポジションを決定することと
を備える代替ナビゲーション方法を使用して前記ドローンによって前記配達目的地にナビゲートすることをさらに備える、請求項７に記載の方法。
【請求項９】
前記ドローンに関する前記セキュアナビゲーションモードは、
現在位置、目的地、および配達状況のうちの１つまたは複数を備える、送信される情報を制限すること、または、
位置更新に関する購入者への情報を制限すること、または、
ＧＮＳＳナビゲーション、ＷｉＦｉノード位置情報、ＧＰＳ、ＧＬＯＮＡＳＳ、地上無線ベースの、および光学ベースのナビゲーションシステムを備える、１つまたは複数のナビゲーション方法に切り替えること、
をさらに備える、請求項１に記載の方法。
【請求項１０】
商品のパッケージを配達目的地にセキュアに配達するためのドローンであって、
前記ドローンが前記配達目的地の近くに到着したことの通知を購入者のデバイスに提供するための手段と、
前記配達目的地で着陸ゾーンからのセキュア高度でホバリングするための手段と、
前記商品のパッケージの購入に関連する購入コードを受信するための手段と、
前記ドローンを着陸させるための条件として前記購入コードを認証するための手段と、
前記購入コードが認証される時に、前記配達目的地の前記着陸ゾーン内に着陸するための手段と、
前記購入コードが認証されない時に、前記配達目的地の前記着陸ゾーン内での前記着陸を中止するための手段と、
を備え、
インターネットを介して１つまたは複数のソーシャルメディアアプリケーションに接続するための手段と、
前記ドローンに関連する情報が前記１つまたは複数のソーシャルメディアアプリケーション上にポストされたことの表示に関して前記１つまたは複数のソーシャルメディアアプリケーションを監視するための手段と、
ドローン情報を含む前記ソーシャルメディア情報が潜在的なセキュリティ脅威を表すかどうかを決定するための手段と、
前記決定に応答して前記ドローンに関するセキュアナビゲーションモードを実行するための手段と、
ここにおいて、前記ドローンに関する前記セキュアナビゲーションモードは、コース方向、高度、およびホールディングパターンのうちの１つまたは複数を備える、前記ドローンの飛行パラメータを変更することを備える、
によって特徴付けられる、
ドローン。
【請求項１１】
前記購入コードが認証され、前記着陸ゾーン内での前記ドローンによる前記着陸が完了する時に、前記商品のパッケージを解放するための手段と、
前記商品のパッケージが解放される時に、前記商品のパッケージの配達を確認するための手段と
をさらに備える、請求項１０に記載のドローン。
【請求項１２】
前記商品のパッケージの前記配達を確認するための手段は、
前記商品のパッケージに関連する配達コードをスキャンし、前記配達コードをサーバに提供するための手段と、
商品の前記解放されたパッケージと、前記購入者と、前記着陸ゾーンとのうちの１つまたは複数の画像を取り込むための手段と
のうちの少なくとも１つを備える、請求項１１に記載のドローン。
【請求項１３】
前記着陸ゾーン内の着陸パッドと相互作用することによって前記着陸ゾーン内の前記ドローンによる前記着陸を案内するための手段をさらに備え、前記着陸パッドは、視覚着陸支援装置と、光学着陸支援装置と、無線着陸支援装置とのうちの１つまたは複数を含む、請求項１０に記載のドローン。
【請求項１４】
前記配達目的地への移動ルートに沿った１つまたは複数の通信ノードから無線信号を受信するための手段と、前記無線信号は、前記１つまたは複数の通信ノードに関する情報を含む、
前記受信された無線信号内の前記通信ノードに関する前記情報に基づいて前記１つまたは複数の通信ノードの位置を決定するための手段と、
前記１つまたは複数の通信ノードの前記位置に基づいて前記ドローンのポジションを決定するための手段と
を備える、ＧＮＳＳナビゲーションおよび代替ナビゲーション方法を使用して前記配達目的地にナビゲートするための手段をさらに備える、請求項１３に記載のドローン。
【請求項１５】
配達目的地でセキュアパッケージ配達を提供するためのシステムであって、
ドローンプロセッサを備えるドローンと、
購入者デバイスプロセッサを備え、通信リンクを介して前記ドローンと通信するように構成された購入者デバイスと、
それぞれの通信リンクを介して前記ドローンと前記購入者デバイスとのうちの一方または両方と通信するように構成されたサーバと
を備え、ここにおいて、前記ドローンプロセッサは、
前記ドローンが配達目的地の近くに到着したことの通知を前記購入者デバイスに提供することと、
前記配達目的地で着陸ゾーンからのセキュア高度でホバリングすることと、
前記購入者デバイスから購入コードを受信することと、前記購入コードは、商品のパッケージの購入に関連する、
前記購入コードの認証に応答して、前記配達目的地の前記着陸ゾーン内に着陸すること、または、前記購入コードの非認証に応答して、前記着陸を中止することと、
を備える動作を実行するためのプロセッサ実行可能命令を用いて構成され、
ここにおいて、前記サーバが、
前記サーバによって、インターネットを介して１つまたは複数のソーシャルメディアアプリケーションに接続することと、
前記サーバによって、前記ドローンに関連する情報が前記１つまたは複数のソーシャルメディアアプリケーション上にポストされたことの表示に関して前記１つまたは複数のソーシャルメディアアプリケーションを監視することと、
前記サーバと前記ドローンとのうちの１つまたは複数によって、ドローン情報を含む前記ソーシャルメディア情報が潜在的なセキュリティ脅威を表すかどうかを決定することと、
前記決定に応答して前記ドローンに関するセキュアナビゲーションモードを実行することと
を備える動作を実行するためのプロセッサ実行可能命令を用いて構成され、
ここにおいて、前記ドローンに関する前記セキュアナビゲーションモードは、コース方向、高度、およびホールディングパターンのうちの１つまたは複数を備える、前記ドローンの飛行パラメータを変更することを備える、
ことを特徴とする、
システム。